(57)【要約】【課題】製造コストが安く、正確な点眼を容易にすることが出来る点眼容器を提供する。【解決手段】点眼液を蓄積する蓄積部から点眼液を点眼口に誘導する点眼液誘導部に、上から視認できる位置に点眼口と同心円状の着色部を設けた。着色部は設置部位の色とは別の色に着色されている。点眼しようとする人が本考案の点眼容器を目に近付けた時、点眼に適切でない場合には点眼口と着色部とは偏心して見え、点眼に適切である場合には同心円状に見える。【選択図】図１
0003152970.tif 000002
【実用新案登録請求の範囲】
【請求項１】
点眼液を蓄積する蓄積部と、
前記蓄積部に連結され、前記点眼液を導く点眼液誘導部と、
前記点眼液誘導部の先端に形成され、前記点眼液を吐出する開口部である点眼口と、
前記点眼液誘導部に設けられ、前記点眼口側から前記蓄積部方向を見た時に前記点眼口と同心円状に見えるように形成され、設置位置周辺の色とは別の色に着色される環状の着色部と、
を備えることを特徴とする点眼容器。
【請求項２】
点眼液を蓄積する蓄積部と、
前記蓄積部に連結され、前記点眼液を導く点眼液誘導部と、
前記点眼液誘導部の先端に形成され、前記点眼液を吐出する開口部である点眼口と、を備え、
前記点眼液誘導部は、
先端に前記点眼口を有する漏斗状部と、
前記漏斗状部と前記蓄積部との中間に位置し、前記漏斗状部を前記蓄積部に連結させるベース部と、
前記ベース部の平坦部に設置され、前記点眼口側から前記蓄積部方向を見た時に前記点眼口と同心円状に見えるように形成され、前記ベース部の色とは別の色に着色される環状の着色部と、
を備えることを特徴とする点眼容器。
【請求項３】
点眼液を蓄積する蓄積部と、
前記蓄積部に連結され、前記点眼液を導く点眼液誘導部と、
前記点眼液誘導部の先端に形成され、前記点眼液を吐出する開口部である点眼口と、を備え、
前記点眼液誘導部は、
先端に前記点眼口を有し、テーパをなすテーパ部を有する漏斗状部と、
前記テーパ部に設置され、前記点眼口側から前記蓄積部方向を見た時に前記点眼口と同心円状に見えるように形成され、前記テーパ部の色とは別の色に着色される環状の着色部と、
を備えることを特徴とする点眼容器。
【請求項４】
点眼液を蓄積する蓄積部と、
前記蓄積部に連結され、前記点眼液を導く点眼液誘導部と、
前記点眼液誘導部の先端に形成され、前記点眼液を吐出する開口部である点眼口と、を備え、
前記点眼液誘導部は、
先端に前記点眼口を有する漏斗状部と、
前記漏斗状部と前記蓄積部との中間に位置し、前記漏斗状部を前記蓄積部に連結させるベース部と、
前記ベース部の平坦部に設けられ、前記点眼口側から前記蓄積部方向を見た時に前記点眼口と同心円状に見えるように形成された嵌合溝と、
前記嵌合溝に設けられ、前記ベース部の色とは別の色に着色され、前記ベース部とは別体に形成された環状の着色環と、
を備えることを特徴とする点眼容器。
【請求項５】
点眼液を蓄積する蓄積部と、
前記蓄積部に連結され、前記点眼液を導く点眼液誘導部と、
前記点眼液誘導部の先端に形成され、前記点眼液を吐出する開口部である点眼口と、を備え、
前記点眼液誘導部は、
先端に前記点眼口を有し、テーパをなすテーパ部を有する漏斗状部と、
前記テーパ部に設けられ、前記点眼口側から前記蓄積部の方向を見た時に前記点眼口と同心円状に見えるように形成された嵌合溝と、
前記嵌合溝に設けられ、前記テーパ部の色とは別の色に着色され、前記漏斗状部とは別体に形成された環状の着色環と、
を備えることを特徴とする点眼容器。
【請求項６】
点眼液を蓄積する蓄積部と、
前記蓄積部に連結され、前記点眼液を導く点眼液誘導部と、
前記点眼液誘導部の先端に形成され、前記点眼液を吐出する開口部である点眼口と、
前記点眼液誘導部に設けられ、前記点眼液誘導部の中心線に対し前記点眼口と同心円状に形成され、設置位置周辺の色とは別の色に着色される環状の着色部と、
を備えることを特徴とする点眼容器。
【請求項７】
点眼液を蓄積する蓄積部と、
前記蓄積部に連結され、前記点眼液を導く点眼液誘導部と、
前記点眼液誘導部の先端に形成され、前記点眼液を吐出する開口部である点眼口と、を備え、
前記点眼液誘導部は、
先端に前記点眼口を有する漏斗状部と、
前記漏斗状部と前記蓄積部との中間に位置し、前記漏斗状部を前記蓄積部に連結させるベース部と、
前記ベース部の平坦部に設置され、前記点眼液誘導部の中心線に対し前記点眼口と同心円状に形成され、前記ベース部の色とは別の色に着色される環状の着色部と、
を備えることを特徴とする点眼容器。
【請求項８】
点眼液を蓄積する蓄積部と、
前記蓄積部に連結され、前記点眼液を導く点眼液誘導部と、
前記点眼液誘導部の先端に形成され、前記点眼液を吐出する開口部である点眼口と、を備え、
前記点眼液誘導部は、
先端に前記点眼口を有し、テーパをなすテーパ部を有する漏斗状部と、
前記テーパ部に設置され、前記点眼液誘導部の中心線に対し前記点眼口と同心円状に形成され、前記テーパ部の色とは別の色に着色される着色部と、
を備えることを特徴とする点眼容器。
【請求項９】
点眼液を蓄積する蓄積部と、
前記蓄積部に連結され、前記点眼液を導く点眼液誘導部と、
前記点眼液誘導部の先端に形成され、前記点眼液を吐出する開口部である点眼口と、を備え、
前記点眼液誘導部は、
先端に前記点眼口を有する漏斗状部と、
前記漏斗状部と前記蓄積部との中間に位置し、前記漏斗状部を前記蓄積部に連結させるベース部と、
前記ベース部の平坦部に設けられ、前記点眼液誘導部の中心線に対し前記点眼口と同心円状に形成された嵌合溝と、
前記嵌合溝に設けられ、前記ベース部の色とは別の色に着色され、前記ベース部とは別体に形成された環状の着色環と、
を備えることを特徴とする点眼容器。
【請求項１０】
点眼液を蓄積する蓄積部と、
前記蓄積部に連結され、前記点眼液を導く点眼液誘導部と、
前記点眼液誘導部の先端に形成され、前記点眼液を吐出する開口部である点眼口と、を備え、
前記点眼液誘導部は、
先端に前記点眼口を有し、テーパをなすテーパ部を有する漏斗状部と、
前記テーパ部に設けられ、前記点眼液誘導部の中心線に対し前記点眼口と同心円状に形成された嵌合溝と、
前記嵌合溝に設けられ、前記テーパ部の色とは別の色に着色され、前記漏斗状部とは別体に形成された環状の着色環と、
を備えることを特徴とする点眼容器。
【請求項１１】
点眼液を蓄積する蓄積部と、
前記蓄積部に連結され、前記点眼液を導く点眼液誘導部と、
前記点眼液誘導部の先端に形成され、前記点眼液を吐出する開口部である点眼口と、を備え、
前記蓄積部は、
前記点眼液誘導部と前記蓄積部との連結部の周囲に設置され、前記点眼口側から前記蓄積部方向を見た時に前記点眼口と同心円状に見えるように形成され、前記蓄積部の色とは別の色に着色される環状の着色部を備えることを特徴とする点眼容器。
【請求項１２】
点眼液を蓄積する蓄積部と、
前記蓄積部に連結され、前記点眼液を導く点眼液誘導部と、
前記点眼液誘導部の先端に形成され、前記点眼液を吐出する開口部である点眼口と、を備え、
前記蓄積部は、
前記点眼液誘導部と前記蓄積部との連結部の周囲に設置され、前記点眼液誘導部の中心線に対し前記点眼口と同心円状に形成され、前記蓄積部の色とは別の色に着色される環状の着色部を備えることを特徴とする点眼容器。
【請求項１３】
前記漏斗状部の先端に、前記点眼口を周回するように、前記漏斗状部の色とは異なる色に着色された環状の点眼口着色部をさらに備える
請求項１乃至請求項１２のいずれか１項に記載の点眼容器。
【考案の詳細な説明】
【技術分野】
【０００１】
本考案は、正確な点眼を容易にすることが出来る点眼容器に関するものである。
【背景技術】
【０００２】
目薬を点眼することは、慣れていない者にとっては難しいことであり、しばしば目薬が目の外に垂れてしまうということが起きる。
【０００３】
目薬を正確に目に点眼するためには、点眼容器の点眼液が吐出される開口部である点眼口を真下に向ける必要がある。すなわち、点眼容器は点眼口を下にして垂直に位置されなければならない。また同時に、点眼口は目の中心部の真上に位置しなければならない。
【０００４】
従来の点眼容器は、点眼するために点眼容器を目に近付けた際に、点眼口の位置が分かりづらく、また、点眼容器が垂直になっているかも分かりづらいという問題点があった。
【０００５】
この点に関して、点眼容器に鏡を設ける技術（例えば、特許文献１、特許文献２）が提案されている。
【０００６】
しかし、これらの技術によっては点眼容器の製造コストが上昇するだけでなく、点眼する際に目に近付けた状態では鏡に映った目が近すぎて確認できないという問題点がある。
【先行技術文献】
【特許文献】
【０００７】
【特許文献１】特開２００７−８２９６８号公報
【特許文献２】実開平１−１３８４４３号公報
【考案の概要】
【考案が解決しようとする課題】
【０００８】
本考案は、製造コストが安く、正確な点眼を容易にすることが出来る点眼容器を提供することを目的とする。
【課題を解決するための手段】
【０００９】
本考案は、点眼液を蓄積する蓄積部と、点眼液を吐出する開口部である点眼口と、点眼口側から蓄積部方向を見た時に点眼口と同心円状に見えるように形成され、設置位置周辺の色とは別の色に着色される環状の着色部と、を備えることを特徴とする点眼容器を提供する。
【考案の効果】
【００１０】
本考案によれば、製造コストが安く、正確な点眼を容易にすることが出来る点眼容器を提供することができるという効果がある。
【図面の簡単な説明】
【００１１】
【図１】点眼容器を示した図である。
【図２】着色部を別体に形成した様子を示す図である。
【図３】点眼容器が目に対して斜めになっている場合を示す図である。
【図４】点眼容器が目に対して斜めになっている場合に見える着色部の様子を示す図である。
【図５】着色部を、テーパをなす漏斗状部に設けた状態を示す図である。
【図６】着色部を別体に形成した様子を示す図である。
【図７】点眼口の周囲に点眼口着色部を設けた図である。
【図８】着色部を、蓄積部の上端部に設けた状態を示す図である。
【考案を実施するための形態】
【００１２】
本考案の点眼容器の一実施形態を、図面を参照して詳細に説明する。図１は、本実施形態の点眼容器１を示した図である。図１（ａ）は点眼容器１の上面図、図１（ｂ）は斜視図である。
【００１３】
図１に示すように、点眼容器１は、点眼液を蓄積する蓄積部２０と、蓄積部２０に連結された点眼液誘導部１０とを有する。ここで、点眼液には目薬、生理食塩水、洗眼水が含まれるものとする。
【００１４】
点眼液誘導部１０は、さらに先端に形成される点眼口１１に向かってその径が縮小する漏斗状部１２と、漏斗状部１２を蓄積部２０に連結するベース部Ｂと、を備える。
【００１５】
点眼液誘導部１０は、ベース部Ｂの上面の平坦部Ｂ１の、漏斗部１２の基部周辺に環状の着色部１３を有する。着色部１３は点眼口１１から蓄積部２０方向を見たときに点眼口１１と同心円状に配置されるように形成されている。
【００１６】
すなわち、着色部１３は図１に示すように点眼液誘導部１０の中心線Ｏに対して点眼口１１と同心円状に配置されている。
【００１７】
従って、着色部１３は、図１（ａ）に示すように、上から見た時に環状をなしている。ここで、環状とは円、一部が切れている円、破線によって形成される円を含む。環状は星型などの図形を環状に配置したものも含む。また、望ましくは、着色部１３は上から見た時に円に見えるように形成される。着色部１３は、例えば赤、青、緑などの視認しやすい色によって着色されている。着色部１３は設置位置周辺の色であるベース部Ｂの色と別の色に着色される。
【００１８】
着色部１３は、点眼液誘導部１０に直接印刷してもよく、また、着色したシールを貼付することによって形成してもよい。
【００１９】
図２は、着色部１３を別体に形成した実施形態を示す図である。図２に示すように、別体に形成された着色部１３である着色環１３Ａは着色した環状体により形成される。
【００２０】
ベース部Ｂは、上から視認できる面である平坦部Ｂ１に環状の溝である嵌合溝１３Ｂを有する。点眼液誘導部１０は、嵌合溝１３Ｂを点眼液誘導部１０の中心線Ｏに対して点眼口１１と同心円状に備える。着色環１３Ａは嵌合溝１３Ｂに嵌め込まれることにより、着色部１３が形成される。
【００２１】
図３は、点眼容器１が目３０に対して垂直方向ではなく、斜めに配置されている場合を示す図である。また、図４は点眼容器１が目３０に対して斜めになっている場合に見える着色部１３の様子を示す図である。
【００２２】
図３に示すように、目に対する鉛直方向Ｖから点眼容器１の中心線Ｘが外れて斜めになっている場合、図４に示すように点眼口１１と着色部１３とは同心円状に見えず、偏心して見える。従って、点眼をする人は点眼容器１が点眼に適した位置にないことを容易に知ることができる。
【００２３】
点眼に適した状態に点眼容器１が位置している場合には、図１（ａ）のように見えるため、点眼をする人は点眼容器１が点眼に適した位置にあることを容易に知ることができる。
【００２４】
図５は、着色部１４を、テーパをなす漏斗状部１２に設けた状態を示す図である。図５に示すように、着色部１４は漏斗状部１２がテーパをなしている場合この漏斗状部１２のテーパ部に設けることもできる。
【００２５】
点眼液誘導部１０は、着色部１４を点眼液誘導部１０の中心線Ｏに対して点眼口１１と同心円状に備える。
【００２６】
着色部１４は、図５（ａ）に示すように、上から見た時に環状をなしている。ここで、環状とは円、一部が切れている円、破線によって形成される円を含む。環状とは星型などの図形を環状に配置したものも含む。また、着色部１４は上から見た時に円に見えるように形成されることが望ましい。着色部１４は、例えば赤、青、緑などの視認しやすい色によって着色されている。着色部１４は設置位置周辺の色であるテーパ部の色と別の色に着色される。
【００２７】
着色部１４は、点眼液誘導部１０に直接印刷してもよく、また、着色したシールを貼付することによって形成してもよい。
【００２８】
図６は、着色部１４を別体に形成した様子を示す図である。図６に示すように、別体に形成された着色部１４である着色環１４Ａは着色した環状体により形成される。着色環１４Ａは側面がテーパをなしていることが望ましい。
【００２９】
漏斗状部１２は、上から視認できる面に環状の溝である嵌合溝１４Ｂを有する。点眼液誘導部１０は、嵌合溝１４Ｂを点眼液誘導部１０の中心線Ｏに対して点眼口１１と同心円状に備える。着色環１４Ａは嵌合溝１４Ｂに嵌め込まれることにより、着色部１４が形成される。
【００３０】
図７は、点眼口１１の周囲に点眼口着色部１１Ａを設けた図である。図７に示すように、点眼容器１は漏斗状部１２の先端に、点眼口１１を周回するように着色された環状の点眼口着色部１１Ａをさらに設けることができる。
【００３１】
点眼口着色部１１Ａの色は漏斗状部１２の色と異なる色が用いられる。着色部１３乃至着色環１３Ａの色と異なっていることがより望ましい。
【００３２】
図８は、着色部１３Ｃを、蓄積部２０の上端部に設けた状態を示す図である。図８に示すように、着色部１３Ｃは蓄積部２０の上端部、すなわち蓄積部２０の点眼液誘導部１０との連結部の周囲に設けることもできる。
【００３３】
着色部１３Ｃは点眼口１１から蓄積部２０方向を見たときに点眼口１１と同心円状に配置されるように形成されている。
【００３４】
蓄積部２０は、着色部１３Ｃを点眼液誘導部１０の中心線Ｏに対して点眼口１１と同心円状に備える。
【００３５】
着色部１３Ｃは、図８（ａ）に示すように、上から見た時に環状をなしている。ここで、環状とは円、一部が切れている円、破線によって形成される円を含む。環状とは星型などの図形を環状に配置したものも含む。また、着色部１３Ｃは上から見た時に円に見えるように形成されることが望ましい。
【００３６】
着色部１３Ｃは、例えば赤、青、緑などの視認しやすい色によって着色されている。着色部１３Ｃは設置位置周辺の色である蓄積部２０の色と別の色に着色される。
【００３７】
着色部１３Ｃは、蓄積部２０に直接印刷してもよく、また、着色したシールを貼付することによって形成してもよい。
【００３８】
以上述べたように、本実施形態の点眼容器１は、点眼液を蓄積する蓄積部２０から点眼液を点眼口１１に誘導する点眼液誘導部１０に、上から視認できる位置に点眼口１１と同心円状の着色部１３、１４を設けた。従って、製造コストが安く、正確な点眼を容易にすることが出来る点眼容器を提供することができるという効果がある。
【符号の説明】
【００３９】
１：点眼容器、
１０：点眼液誘導部、
１１：点眼口、
１２：漏斗状部、
１３，１４：着色部、
２０：蓄積部、
１３Ａ，１４Ａ：着色環、
１３Ｂ，１４Ｂ：嵌合溝。
【図１】
0003152970.tif 000003
【図２】
0003152970.tif 000004
【図３】
0003152970.tif 000005
【図４】
0003152970.tif 000006
【図５】
0003152970.tif 000007
【図６】
0003152970.tif 000008
【図７】
0003152970.tif 000009
【図８】
0003152970.tif 000010